(57)【要約】【課題】  本発明は電子機器に関するもので、操作性を良くすることを目的とするものである。【解決手段】  そして、この目的を達成するために本発明は、本体ケースの前記前面開口部を開閉自在に覆った実質的に透明なカバー７と、このカバー７の背面側に配置された携帯情報機器用保持部８と、この携帯情報機器用保持部８に保持された携帯電話９の端子９ａと電気的接続を行う電気的接続手段１０とを備え、携帯情報機器用保持部８は、携帯電話９の操作部を、前面側として保持する左右の保持爪２１と、携帯電話９の背面側に当接する当接面２２とを有し、当接面２２には、携帯電話９の背面に当接し、この携帯電話９端子９ａを電気的接続手段１０側に案内する案内当接部２６を設けた。【選択図】図１４
2012140035.tif 000002
【特許請求の範囲】
【請求項１】
前面開口部を有する本体ケースと、この本体ケース６の前面開口部５を開閉自在に覆った実質的に透明なカバーと、このカバーの背面側の前記本体ケース内に配置された携帯情報機器用保持部と、この携帯情報機器用保持部に保持された携帯情報機器の端子と電気的接続を行う電気的接続手段とを備え、前記携帯情報機器用保持部は、前記携帯情報機器の操作部を、前記本体ケースの前面側として、この携帯情報機器を保持する左右の保持爪と、前記携帯情報機器の背面側に当接する当接面とを有し、前記携帯情報機器用保持部の前記当接面には、前記携帯情報機器の背面に当接し、この携帯情報機器の前記端子を前記電気的接続手段側に案内する案内手段を設けた電子機器。
【請求項２】
前記案内手段は、前記携帯情報機器用保持部を構成する当接面から、前記携帯情報機器の背面側に移動する案内当接部を有する請求項１に記載の電子機器。
【請求項３】
前記案内手段は、前記携帯情報機器用保持部を構成する当接面から、前記携帯情報機器の背面側に移動する案内当接部と、この案内当接部を前記携帯情報機器の背面側に移動させる案内操作部とを有する請求項１に記載の電子機器。
【請求項４】
前記携帯情報機器用保持部を構成する当接面には、前記案内操作部の操作量を示す操作表示部を設けた請求項３に記載の電子機器。
【請求項５】
前記操作表示部は、前記携帯情報機器の種類に対応する表示とした請求項４に記載の電子機器。
【請求項６】
前記携帯情報機器用保持部は、当接面の左右に保持爪を設け、この当接面の一端側に前記案内操作部を設けた構成とし、この携帯情報機器用保持部の他端側に電気的接続手段を配置した請求項１から３のいずれか一つに記載の電子機器。
【発明の詳細な説明】
【技術分野】
【０００１】
本発明は、車両などに搭載される電子機器に関する。
【背景技術】
【０００２】
近年の携帯情報機器、例えば携帯電話は、ますます、その機能が充実し、電話機能だけでなく、音楽プレーヤ機能や、カーナビゲーション機能までが搭載されている。
【０００３】
したがって、この携帯電話を他の電子機器、例えば、車載用の電子機器に接続すれば、携帯電話で再生した音楽を、車両のスピーカから流すこともできるようになる。
【０００４】
そこで、このような要望に応えるために車載用の電子機器として、次のような構成のものが提案されている。
【０００５】
すなわち、車載用電子機器を構成する本体ケース内に、引出し構造の収納部を設け、この収納部内には、携帯情報機器の端子に接続する電気的接続手段を設けた構成となっていた（例えば下記特許文献１）。
【先行技術文献】
【特許文献】
【０００６】
【特許文献１】特開２００８−２４２５９号公報
【発明の概要】
【発明が解決しようとする課題】
【０００７】
前記従来例における課題は、携帯情報機器の端子を電気的接続手段に接続する時の操作性が悪いということであった。
【０００８】
すなわち、電気的接続手段が電子機器を構成する本体ケースに固定されている状態では、その部分に、携帯情報機器の端子を移動させて、両者の電気的接続を行うことになるのであるが、その接続場所は携帯情報機器の陰の部分になるので、手探り状態での接続作業となり、ここ点で操作性の悪いものとなるのであった。
【０００９】
そこで、本発明は、電子機器の電気的接続手段に、携帯情報機器の端子を接続させる際の操作性を良くすることを目的とするものである。
【課題を解決するための手段】
【００１０】
そしてこの目的を達成するために本発明は、前面開口部を有する本体ケースと、この本体ケースの前記前面開口部を開閉自在に覆った実質的に透明なカバーと、このカバーの背面側の前記本体ケース内に配置された携帯情報機器用保持部と、この携帯情報機器用保持部に保持された携帯情報機器の端子と電気的接続を行う電気的接続手段とを備え、前記携帯情報機器用保持部は、前記携帯情報機器の操作部を、前記本体ケースの前面側として、この携帯情報機器を保持する左右の保持爪と、前記携帯情報機器の背面側に当接する当接面とを有し、前記携帯情報機器用保持部の前記当接面には、前記携帯情報機器の背面に当接し、この携帯情報機器の前記端子を前記電気的接続手段側に案内する案内手段を設け、これにより所期の目的を達成するものである。
【発明の効果】
【００１１】
以上のように本発明は、前面開口部を有する本体ケースと、この本体ケースの前記前面
開口部を開閉自在に覆った実質的に透明なカバーと、このカバーの背面側の前記本体ケース内に配置された携帯情報機器用保持部と、この携帯情報機器用保持部に保持された携帯情報機器の端子と電気的接続を行う電気的接続手段とを備え、前記携帯情報機器用保持部は、前記携帯情報機器の操作部を、前記本体ケースの前面側として、この携帯情報機器を保持する左右の保持爪と、前記携帯情報機器の背面側に当接する当接面とを有し、前記携帯情報機器用保持部の前記当接面には、前記携帯情報機器の背面に当接し、この携帯情報機器の前記端子を前記電気的接続手段側に案内する案内手段を設けたものであるので、電子機器の電気的接続手段に、携帯情報機器の端子を接続させる際の操作性を良くすることができる。
【００１２】
すなわち、本発明においては、携帯情報機器を保持する携帯情報機器用保持部の当接面に、前記携帯情報機器の背面に当接し、この携帯情報機器の端子を電気的接続手段側に案内する案内手段を設けたものであるので、電子機器の電気的接続手段に、携帯情報機器の端子を接続させる際には、前記携帯情報機器の背面を案内手段に当接させた状態で、電気的接続手段側に移動させれば、携帯情報機器の端子が電気的接続手段側へと案内され、その結果として、携帯情報機器の端子と電気的接続手段との接続作業がスムーズに行え、これにより、操作性を良くすることができるのである。
【図面の簡単な説明】
【００１３】
【図１】本発明の実施の形態１にかかる電子機器を車両に搭載した状態を示す斜視図
【図２】同電子機器の斜視図
【図３】同電子機器の斜視図
【図４】同電子機器の斜視図
【図５】同電子機器の斜視図
【図６】同電子機器の斜視図
【図７】同電子機器の斜視図
【図８】同電子機器の断面図
【図９】同電子機器の断面図
【図１０】同電子機器の断面図
【図１１】同電子機器の断面図
【図１２】同電子機器の要部背面図
【図１３】同電子機器の要部背面図
【図１４】同電子機器の要部斜視図
【図１５】同電子機器の要部正面図
【図１６】同電子機器の要部背面側斜視図
【図１７】同電子機器の要部背面図
【図１８】同電子機器の要部断面図
【図１９】同電子機器の要部断面図
【図２０】同電子機器の他の操作状態を示す要部断面図
【図２１】同電子機器の他の操作状態を示す要部断面図
【図２２】同電子機器のさらに他の操作状態を示す要部断面図
【図２３】同電子機器のさらに他の操作状態を示す要部断面図
【発明を実施するための形態】
【００１４】
以下、本発明の一実施の形態を、車載用の電子機器に適用したものを、図面を用いて説明する。
（実施の形態１）
図１において、１は車両本体を示し、この車両本体１の車内２前方にはハンドル３が配置され、またハンドル３の左方には電子機器４が装着されている。
【００１５】
電子機器４は音楽プレーヤ機能や、カーナビゲーション機能等を有するものであって、全体的な構成は図２〜図５に示すようになっている。
【００１６】
すなわち、この電子機器４は、前面開口部５を有する箱状の本体ケース６と、この本体ケース６の前記前面開口部５を開閉自在に覆ったカバー７と、このカバー７の背面側の前記本体ケース６内に配置された携帯情報機器用保持部８と、この携帯情報機器用保持部８に保持された携帯電話（携帯情報機器の一例）９の端子（図１８の９ａ）と電気的接続を行う電気的接続手段１０とを備えた構成となっている。
【００１７】
前記カバー７は、本体ケース６の前記前面開口部５を開閉自在に覆ったものであって、この開閉動作を行わせるために本実施形態では、カバー７の内面側下方の両側に、それぞれレバー１１Ａ、１１Ｂの前端側を連結している。
【００１８】
図８〜図１３はこのレバー１１Ａ、１１Ｂなどの動作を説明するための図であり、図８が図２のごとく、本体ケース６の前面開口部５がカバー７で閉じられた状態、つまり本体ケース６の前面開口部５がカバー７で覆われた状態を示している。
【００１９】
また、図９が、図３のごとく本体ケース６の前面開口部５がカバー７から開放された状態、つまり本体ケース６の前面開口部５が開放された状態を示している。
【００２０】
すなわち、カバー７の開閉のためには、レバー１１Ａ、１１Ｂが前後に移動する構成となっている。
【００２１】
具体的には、左右のレバー１１Ａ、１１Ｂの中部から後部にかけてのそれぞれ２箇所が、図８から理解されるように、本体ケース６の前後に所定間隔をおいて配置されたレバー１２の上端の軸支部１２ａで、軸支状態で支持されており、またこのレバー１２の下端は軸支部１２ｂにより、基台１３に軸支状態で支持されており、さらにレバー１２の下端に固定している軸１４には第一モータ（図示せず）が連結されている。
【００２２】
したがって、この第一モータ（図示せず）を半時計方向に駆動し、レバー１２の上端を図８から図９のごとく左方に移動させれば、カバー７が開き、本体ケース６の前面開口部５が開放される。
【００２３】
また、この第一モータ（図示せず）を時計方向に駆動し、レバー１２の上端を図９から図８のごとく右方に移動させれば、カバー７が閉じ、本体ケース６の前面開口部５が閉成される。
【００２４】
さて、図２は上述のごとく、本体ケース６の前面開口部５がカバー７で閉成された状態であるが、この状態で、カバー７を開放するためには、カバー７の前面上方左側のスイッチ１５を押圧操作する。
【００２５】
すると、第一モータ（図示せず）が駆動され、レバー１２の上端が図８から図９のごとく左方に移動させられ、この結果として図３のごとく、カバー７が開き、本体ケース６の前面開口部５が開放される。
【００２６】
このカバー７の開放動作について今少し詳細に説明すると、レバー１１Ａ、１１Ｂの軸支部１２ａよりも先端側は図３、図８〜図１１からも理解されるように、その後方側よりも下方に湾曲しながら下がった状態となっている。
【００２７】
このため、上述のごとく、第一モータ（図示せず）が駆動され、レバー１２の上端が図
８から図９のごとく左方に移動させられると、レバー１１Ａ、１１Ｂの先端側は、図３、図９のごとく、本体ケース６の前面開口部５よりも下方に降ろされることになる。
【００２８】
また、このようなレバー１１Ａ、１１Ｂの動きにより、カバー７が図３、図９のごとく水平方向に開放されるためには、レバー１１Ｂの先端側に、次のような周知の機構が取り付けられている。
【００２９】
つまり、レバー１１Ｂの先端側は軸支部１１ａにより回動自在にカバー７と連結されている。
【００３０】
また、軸支部１１ａが貫通した歯車７ａはカバー７の内側に固定されており、それ自体が回動することは無い。
【００３１】
さらに、レバー１１Ｂ内は空洞状態となっており、その内部には前記第一モータ（図示せず）によって駆動されるリング状のチューン（図示せず）が収納されている。
【００３２】
また、このチューン（図示せず）によって回動する歯車（図示せず）は前記歯車７ａに歯合状態で係合している。
【００３３】
このため、上述のごとく、第一モータ（図示せず）が駆動され、レバー１２の上端が図８から図９のごとく左方に移動させられると、これに連動する状態で、歯車７ａと、前記チューン（図示せず）によって回動する歯車（図示せず）との歯合部が歯車７ａの時計方向に移動することになる。
【００３４】
上述のごとく歯車７ａはカバー７に固定されているので、この時には、逆にカバー７が軸支部１１ａを中心として、図８から図９のごとく半時計方向に回動することになる。
【００３５】
以上の機構は周知の構造であるので、これ以上の説明は割愛するが、結論として、第一モータ（図示せず）が駆動され、レバー１２の上端が図８から図９のごとく左方に移動させられると、図３、図９のごとく、カバー７が開き、本体ケース６の前面開口部５が開放されることになる。
【００３６】
そして、このようにカバー７が開き、本体ケース６の前面開口部５が開放されたことが検知されると、次には図９に示すレバー１６が、第二モータ（図示せず）で駆動されるギア（図示せず）との係合により、図９から図１０のごとく左方に移動される。
【００３７】
レバー１６の左端側には上述した携帯情報機器用保持部８が連結されており、この結果として図３、図１０に示すごとく、携帯情報機器用保持部８が本体ケース６の前面開口部５前方外へと押し出されることになる。
【００３８】
ここで、レバー１６と携帯情報機器用保持部８との連結構造について説明する。
【００３９】
図１０からも理解されるように、レバー１６の左端側（前方側）は、直角方向に上方に折り曲げられ、ここで図１２に示す回動部１７が形成されている。
【００４０】
具体的には、この回動部１７は１／４円状となっており、その外周部の少し内側には、１／４円弧状の回動溝１８が形成されている。
【００４１】
そして、この回動溝１８内には、携帯情報機器用保持部８の背面側から後方に伸ばされたピン１９が移動自在に係合させられている。
【００４２】
また、１／４円状となった回動部１７の中心部には、第三モータ（図示せず）で回転する回転軸２０が設けられており、この回転軸２０は携帯情報機器用保持部８に固定されている。
【００４３】
このため、第三モータ（図示せず）で回転軸２０を図１２の半時計方向に回転させれば、回動溝１８内をピン１９が図１３のごとく上方に移動し、その結果として携帯情報機器用保持部８は図１３のごとく立設した状態となる。
【００４４】
携帯情報機器用保持部８が図１３のごとく立設した状態とは、本体ケース６の正面側から見ると図１、図４の状態である。
【００４５】
つまり、携帯情報機器用保持部８が、本体ケース６の前面開口部５の前方側に飛び出し、しかも立設した状態となっている。
【００４６】
この状態になると、携帯電話（携帯情報機器の一例）９の使用者は、この携帯電話９を図５、図１１のごとく、携帯情報機器用保持部８に装着する。
【００４７】
本実施形態においては、携帯情報機器用保持部８は、携帯電話（携帯情報機器の一例）９の外周の対向部分、具体的には携帯電話（携帯情報機器の一例）９の左右部分を保持する保持爪２１設けているので、この携帯電話９を図５、図１１のごとく、携帯情報機器用保持部８に装着すれば、左右の保持爪２１によって携帯電話（携帯情報機器の一例）９の左右部分が挟持保持される。
【００４８】
また、携帯情報機器用保持部８の左右の保持爪２１の背面側は当接面（図４の２２）となっているので、携帯電話（携帯情報機器の一例）９の背面側は当接面２２に当接保持される。
【００４９】
さらに、携帯情報機器用保持部８の下方には、上述した電気的接続手段１０が配置されており、この電気的接続手段１０はいわゆるプラグ構造となっている。
【００５０】
したがって、携帯情報機器用保持部８に携帯電話（携帯情報機器の一例）９を装着するときには、先ずはこの電気的接続手段１０を携帯電話（携帯情報機器の一例）９の下端に設けた端子９ａに挿入し、これにより機械的、電気的な接続を行う。
【００５１】
そして、その後、上述したように、この携帯電話９の左右部分を保持爪２１によって挟持保持し、また、携帯電話９の背面側を当接面２２で当接保持することになる。
【００５２】
この状態は、図５に示すように携帯電話９は通常の使用状態と同じ立設状態であって、しかも本体ケース６の前面開口部５の前方に突出した状態となっているので、使用者はいつも使い慣れた携帯電話９で、その表面側に設けた操作部（タッチパネル方式）２３により、音楽プレーヤ機能や、カーナビゲーション機能を選択、操作することになる。
【００５３】
つまり、このようにすれば、携帯電話９が保有する、音楽プレーヤ機能や、カーナビゲーション機能に基づく音情報は、車両本体１の車内２に設けたスピーカ（図示せず）から出力することができるようになるのである。
【００５４】
そして、このような携帯電話９の操作部２３で、音楽プレーヤ機能や、カーナビゲーション機能を選択、操作した後には、図５のカバー７の背面側（カバー７の立設状態では上方部）に設けたスイッチ２４を押圧操作する。
【００５５】
すると、第三モータ（図示せず）で回転軸２０が図１３の時計方向に回転させられ、これにより回動溝１８内をピン１９が図１２のごとく下方に移動し、その結果として携帯情報機器用保持部８は図６、図１０のごとく横向き状態となる。
【００５６】
そして、このように携帯情報機器用保持部８が図６、図１０のごとく横向き状態となったことが検出されると、次には図１０に示すレバー１６が、第二モータ（図示せず）で駆動されるギア（図示せず）との係合により、図１０から図９のごとく右方に移動され、この結果として携帯情報機器用保持部８は本体ケース６の前面開口部５内に収納されることになる。
【００５７】
そして、このようにレバー１６が、第二モータ（図示せず）で駆動されるギア（図示せず）との係合により、図１０から図９のごとく右方に移動され、携帯情報機器用保持部８は本体ケース６の前面開口部５内に収納されたことが検出されると、次には第一モータ（図示せず）が駆動され、レバー１２の上端を図９から図８のごとく右方に移動させ、これにより、図７、図８のごとく、本体ケース６の前面開口部５がカバー７によって閉じられることになる。
【００５８】
この時、図７からも理解されるように、携帯電話９の操作部２３は、本体ケース６の前面側に表出する状態で携帯情報機器用保持部８によって保持され、また前記カバー７は、実質的に透明な構成としているので、カバー７を介して携帯電話９の操作部２３を目視し、その動作状態を確認することができ、その結果として極めて使い勝手の良いものとなる。
【００５９】
なお、図面の煩雑さを避けるために第一、第二、第三のモータは図示していないが、これらは市販の小型モータが利用できる。
【００６０】
以上の説明で本実施形態の構造と、その動作が理解されたところで、以下に、本実施形態の特徴点について説明する。
【００６１】
本実施形態における携帯情報機器用保持部８は、上述のごとく携帯電話（携帯情報機器の一例）９の両側を保持する保持爪２１と、この携帯電話９の背面側が当接する当接面２２とを有しているが、電子機器の電気的接続手段１０に、携帯電話９の端子９ａを接続させる際の操作性を良くすることが特徴となっている。
【００６２】
具体的には、図１４、図１５に示すように、携帯情報機器用保持部８の当接面２２は、図４の状態（携帯電話９を装着する前、あるいは取り外す前）では、縦長の長方形状となっており、この状態では、保持爪２１が左右に設けられた状態となっている。
【００６３】
また、当接面２２には、前記携帯電話９の背面に当接し、この携帯電話９の端子９ａを前記電気的接続手段１０側に案内する案内手段２５を設けている。
この案内手段２５は、携帯情報機器用保持部８を構成する当接面２２から、携帯電話９の背面側に移動する案内当接部２６と、この案内当接部２６を携帯電話９の背面側に移動させる案内操作部２７とを有する。
【００６４】
さらに、携帯情報機器用保持部８を構成する当接面２２には、案内操作部２７の操作量を示す操作表示部２８を設けている。
【００６５】
この操作表示部２８は、携帯情報機器用保持部８保持させる携帯電話９の種類に対応する表示を設けている。
【００６６】
具体的には、縦長の開口部２９の外周には、携帯電話９の種類を表す表示（例えばＡ、Ｂ、Ｃ）がなされ、また開口部２９の内部には、上下に移動するピン３０を設けている。
【００６７】
以上まとめると、携帯情報機器用保持部８は、当接面２２の左右に保持爪２１を設け、この当接面２２に案内当接部２６を設けるとともに、携帯情報機器用保持部８の上端側（一端側）に案内操作部２７を設け、この携帯情報機器用保持部８の下端側（他端側）に電気的接続手段１０を配置した状態となっている。
【００６８】
また、案内当接部２６は横長の板状となっており、その上部のピン３１が、図１６、図１７のごとく当接面２２の背面側の軸受け３２に軸支されている。
【００６９】
さらに、この案内当接部２６の下部背面側には、図１８、図１９のごとく、上方に向けて拡角したカム部３３を設けている。
【００７０】
また、当接面２２の背面側の中心部分には、前記案内操作部２７と案内当接部２６を連結する連結板３４が設けられており、この連結板３４によって前記案内操作部２７と案内当接部２６は連結されている。
【００７１】
具体的には、連結板３４の上端は水平方向に折り返され、そこにねじ孔３５が設けられ、このねじ孔３５に案内操作部２７のねじ部３６が係合されている。
【００７２】
また、連結板３４にはバネ３７の上端が結合され、さらにバネ３７の下端は当接面２２の背面側に結合されている。つまり、下方にバネ３７で付勢された連結板３４を、案内操作部２７を回し、そのねじ部３６により引き上げることができるようになっている。
【００７３】
また、この連結板３４の前面側に前記ピン３０が結合されているので、連結板３４が上昇すると、前記ピン３０も開口部２９内を上昇するようになっている。
【００７４】
図１８、図１９は携帯情報機器用保持部８にＣタイプの携帯電話９を保持させるときの状態を示している。
【００７５】
このときには、先ず案内操作部２７を回し、当接面２２の開口部２９内に設けたピン３０が、操作表示部２８の表示のＣに合致するまで、連結板３４を引き上げる。
【００７６】
すると、連結板３４の操作部３８によってカム部３３は図２３の状態から、この図１８の状態へと前方に押し出され、それにともなって案内当接部２６も前方へと押し出される。
【００７７】
この状態になると、図１８のごとく、Ｃタイプの携帯電話９を上方から下方へと降ろし、電子機器の電気的接続手段１０に、この携帯電話９の端子９ａを接続させる際には、図１８〜図１９のごとく、携帯電話９の背面が案内当接部２６に沿った状態で下方へと移動し、その結果、電気的接続手段１０に、携帯電話９の端子９ａをスムーズに接続することができる。
【００７８】
図２２を用いて比較例を説明すると、Ｃタイプの携帯電話９は厚さが薄いタイプなので、それを当接面２２に沿って下降させたのでは、電気的接続手段１０と携帯電話９の端子９ａが合致せず、それを図２３のごとく接続するためには、電気的接続手段１０と携帯電話９の端子９ａの接続部分を目視しながら行わなければならない。しかしながら、この接続部分は、携帯電話９の下端部分により目視することが難しく、その結果としてこの接続作業は困難なものとなる。
【００７９】
これに対して、本実施形態では、装着する携帯電話９のタイプに合わせて案内当接部２６が前後動し、携帯電話９の背面をその案内当接部２６に沿った状態で下方へと移動させるだけで、電気的接続手段１０に、携帯電話９の端子９ａをスムーズに接続することができ、極めて操作性の良いものとなる。
【００８０】
図２０、図２１はＢタイプの携帯電話９を、携帯情報機器用保持部８に保持させるときの状態を示している。
【００８１】
このときには、先ず案内操作部２７を回し、当接面２２の開口部２９内に設けたピン３０が、操作表示部２８の表示のＢに合致するまで、連結板３４を引き上げる。
【００８２】
すると、連結板３４の操作部３８によってカム部３３は図２３の状態から、この図２０の状態へと前方に押し出され、それにともなって案内当接部２６も前方へと押し出される。
【００８３】
この状態になると、図２０のごとく、Ｂタイプの携帯電話９の背面が案内当接部２６に沿った状態で下方へと移動し、その結果、図２１のごとく、電気的接続手段１０に、携帯電話９の端子９ａをスムーズに接続することができる。
【００８４】
なお、Ｂタイプの携帯電話９は、Ａタイプの携帯電話９よりも、厚さが厚いものなので、案内当接部２６の前方への押し出量は、図１８のときよりも少ない状態となっている。
【産業上の利用可能性】
【００８５】
以上のように本発明は、前面開口部を有する本体ケースと、この本体ケースの前記前面開口部を開閉自在に覆った実質的に透明なカバーと、このカバーの背面側の前記本体ケース内に配置された携帯情報機器用保持部と、この携帯情報機器用保持部に保持された携帯情報機器の端子と電気的接続を行う電気的接続手段とを備え、前記携帯情報機器用保持部は、前記携帯情報機器の操作部を、前記本体ケースの前面側として、この携帯情報機器を保持する左右の保持爪と、前記携帯情報機器の背面側に当接する当接面とを有し、前記携帯情報機器用保持部の前記当接面には、前記携帯情報機器の背面に当接し、この携帯情報機器の前記端子を前記電気的接続手段側に案内する案内手段を設けたものであるので、電子機器の電気的接続手段に、携帯情報機器の端子を接続させる際の操作性を良くすることができる。
【００８６】
すなわち、本発明においては、携帯情報機器を保持する携帯情報機器用保持部の当接面に、前記携帯情報機器の背面に当接し、この携帯情報機器の端子を電気的接続手段側に案内する案内手段を設けたものであるので、電子機器の電気的接続手段に、携帯情報機器の端子を接続させる際には、前記携帯情報機器の背面を案内手段に当接させた状態で、電気的接続手段側に移動させれば、携帯情報機器の端子が電気的接続手段側へと案内され、その結果として、携帯情報機器の端子と電気的接続手段との接続作業がスムーズに行え、これにより、操作性を良くすることができるのである。
【００８７】
したがって、本発明の電子機器は、車両用などへの搭載が期待されるものとなる。
【符号の説明】
【００８８】
１  車両本体
２  車内
３  ハンドル
４  電子機器
５  前面開口部
６  本体ケース
７  カバー
８  携帯情報機器用保持部
９  携帯電話（携帯情報機器の一例）
９ａ  端子
１０  電気的接続手段
１１Ａ、１１Ｂ  レバー
１２  レバー
１３  基台
１４  軸
１５  スイッチ
１６  レバー
１７  回動部
１８  回動溝
１９  ピン
２０  回転軸
２１  保持爪
２２  当接面
２３  操作部
２４  スイッチ
２５  案内手段
２６  案内当接部
２７  案内操作部
２８  操作表示部
２９  開口部
３０，３１  ピン
３２  軸受け
３３  カム部
３４  連結板
３５  ねじ孔
３６  ねじ部
３７  バネ
３８  操作部
【図１】
2012140035.tif 000003
【図２】
2012140035.tif 000004
【図３】
2012140035.tif 000005
【図４】
2012140035.tif 000006
【図５】
2012140035.tif 000007
【図６】
2012140035.tif 000008
【図７】
2012140035.tif 000009
【図８】
2012140035.tif 000010
【図９】
2012140035.tif 000011
【図１０】
2012140035.tif 000012
【図１１】
2012140035.tif 000013
【図１２】
2012140035.tif 000014
【図１３】
2012140035.tif 000015
【図１４】
2012140035.tif 000016
【図１５】
2012140035.tif 000017
【図１６】
2012140035.tif 000018
【図１７】
2012140035.tif 000019
【図１８】
2012140035.tif 000020
【図１９】
2012140035.tif 000021
【図２０】
2012140035.tif 000022
【図２１】
2012140035.tif 000023
【図２２】
2012140035.tif 000024
【図２３】
2012140035.tif 000025